【手続補正書】
【提出日】平成23年11月24日(2011.11.24)
【手続補正１】
【補正対象書類名】特許請求の範囲
【補正対象項目名】全文
【補正方法】変更
【補正の内容】
【特許請求の範囲】
【請求項１】
複数のサブキャリアを有する通信方式を用いて、親局と複数の子局との間で通信を行う通信システムであって、
前記親局は、
前記サブキャリアを前記複数の子局の各々に割り当てる割り当て手段と、
前記複数のサブキャリアの各々に、対応する子局宛の送信データをマッピングすることにより前記複数の子局へ送信する下り信号を生成し、当該下り信号を前記複数の子局へ送信する下り送信手段と、
前記複数の子局からの上り信号を受信する上り受信手段と、
前記受信された上り信号を復調する上り復調手段と、
を備え、
前記複数の子局の各々は、
前記親局からの前記下り信号を受信する下り受信手段と、
前記受信された下り信号を復調する下り復調手段と、
前記親局から割り当てられたサブキャリアに、親局宛の送信データをマッピングすることにより前記親局へ送信する上り信号を生成し、当該上り信号を前記親局へ送信する上り送信手段と
を備え、
前記親局から前記複数の子局のうち少なくとも１つの子局への下り信号と該１つの子局からの該親局への上り信号とが、同一のサブキャリアにおいて同時に送信され、前記上り復調手段は、当該少なくとも１つの子局へ割り当てられたサブキャリアに対応する前記下り信号の信号成分を前記受信された上り信号から除去した後の信号について復調処理を行い、当該少なくとも１つの子局の前記下り復調手段は、前記上り信号の信号成分を前記受信された下り信号から除去した後の信号について復調処理を行う、
ことを特徴とする通信システム。
【請求項２】
複数のサブキャリアを有する通信方式において、割り当てられた前記サブキャリアを用いて１つ以上の装置との間で通信を行う通信装置であって、
前記サブキャリアの割り当てに基づいて、前記複数のサブキャリアの各々に送信データをマッピングすることにより前記１つ以上の装置へ送信する送信信号を生成し、当該送信信号を前記１つ以上の装置へ送信する送信手段と、
前記１つ以上の装置から信号を受信する受信手段と、
受信信号を復調する復調手段と、
を備え、
同一のサブキャリアにおいて同時に、前記送信手段が１つ以上の装置へ前記送信信号を送信するとともに、前記受信手段が当該装置から前記受信信号を受信し、前記復調手段は、当該装置へ割り当てられたサブキャリアに対応する前記送信信号の信号成分を前記受信信号から除去した後の信号について復調処理を行う、
ことを特徴とする通信装置。
【請求項３】
前記復調手段は、
既知のプリアンブルシンボルを用いて、前記送信手段から送信されて回り込んで前記受信手段で受信した信号の伝送路を推定して伝送路推定値を出力する伝送路推定手段と、
前記伝送路推定値と前記送信信号とを複素乗算することにより、前記信号成分を推定する信号成分推定手段と、
を備えることを特徴とする請求項２に記載の通信装置。
【請求項４】
前記伝送路推定手段は、前記送信手段から送信されて回り込んで前記受信手段で受信した信号の前記プリアンブルシンボルに対応する成分を当該プリアンブルシンボルにより複素除算し、複数の前記プリアンブルシンボルについての複素除算の結果の平均を前記伝送路推定値とする、
ことを特徴とする請求項３に記載の通信装置。
【請求項５】
前記信号成分推定手段は、前記１つ以上の装置から前記受信信号を受信する前記サブキャリアについて、前記送信信号に前記伝送路推定値を複素乗算することにより前記信号成分を推定する、
ことを特徴とする請求項３又は４に記載の通信装置。
【請求項６】
前記サブキャリアの割り当てにおいて、少なくとも１つのサブキャリアが１つの装置のみが送信を行うように割り当てられ、
前記復調手段は、前記１つの装置のみに割り当てられたサブキャリアで受信した信号に基づき、当該１つの装置から受信した信号の位相回転を推定する、
ことを特徴とする請求項２から５のいずれか１項に記載の通信装置。
【請求項７】
前記送信手段と前記受信手段とにクロックを供給するクロック生成部をさらに備え、
前記サブキャリアの割り当てにおいて、少なくとも１つのサブキャリアが１つの装置のみが送信を行うように割り当てられ、前記クロック生成部は、前記１つの装置のみに割り当てられたサブキャリアで受信した信号に基づいて制御される、
ことを特徴とする請求項６に記載の通信装置。
【請求項８】
前記１つの装置のみに割り当てられたサブキャリアで受信した信号は、既知のデータパターンを含む、
ことを特徴とする請求項６又は７に記載の通信装置。
【請求項９】
前記サブキャリアの割り当てを決定する割り当て手段をさらに備える、
ことを特徴とする請求項２から８のいずれか１項に記載の通信装置。
【請求項１０】
複数のサブキャリアを有する通信方式を用いて、親局と複数の子局との間で通信を行う通信方法であって、
前記親局において、
割り当て手段が、前記サブキャリアを前記複数の子局の各々に割り当てるステップと、
下り送信手段が、前記複数のサブキャリアの各々に、対応する子局宛の送信データをマッピングすることにより前記複数の子局へ送信する下り信号を生成し、当該下り信号を前記複数の子局へ送信するステップと、
上り受信手段が、前記複数の子局からの上り信号を受信するステップと、
上り復調手段が、前記受信された上り信号を復調するステップと、
を実行し、
前記複数の子局の各々において、
下り受信手段が、前記親局からの前記下り信号を受信するステップと、
下り復調手段が、前記受信された下り信号を復調するステップと、
上り送信手段が、前記親局から割り当てられたサブキャリアに、親局宛の送信データをマッピングすることにより前記親局へ送信する上り信号を生成し、当該上り信号を前記親局へ送信するステップと、
を実行し、
前記親局から前記複数の子局のうち少なくとも１つの子局への下り信号と該１つの子局からの該親局への上り信号とが、同一のサブキャリアにおいて同時に送信され、前記上り復調手段は、当該少なくとも１つの子局へ割り当てられたサブキャリアに対応する前記下り信号の信号成分を前記受信された上り信号から除去した後の信号について復調処理を行い、当該少なくとも１つの子局の前記下り復調手段は、前記上り信号の信号成分を前記受信された下り信号から除去した後の信号について復調処理を行う、
ことを特徴とする通信方法。
【請求項１１】
複数のサブキャリアを有する通信方式において、割り当てられた前記サブキャリアを用いて１つ以上の装置との間で通信を行う通信装置における通信方法であって、
送信手段が、前記サブキャリアの割り当てに基づいて、前記複数のサブキャリアの各々に送信データをマッピングすることにより前記１つ以上の装置へ送信する送信信号を生成し、当該送信信号を前記１つ以上の装置へ送信する送信工程と、
受信手段が、前記１つ以上の装置から信号を受信する受信工程と、
復調手段が、受信信号を復調する復調工程と、
を備え、
同一のサブキャリアにおいて同時に、前記送信工程において１つ以上の装置へ前記送信信号を送信するとともに前記受信工程において当該装置から前記受信信号を受信し、前記復調工程は、当該装置へ割り当てられたサブキャリアに対応する前記送信信号の信号成分を前記受信信号から除去した後の信号について復調処理を行う、
ことを特徴とする通信方法。
【手続補正２】
【補正対象書類名】明細書
【補正対象項目名】発明の名称
【補正方法】変更
【補正の内容】
【発明の名称】通信システム、通信装置および通信方法
【手続補正３】
【補正対象書類名】明細書
【補正対象項目名】０００１
【補正方法】変更
【補正の内容】
【０００１】
本発明は、親局と複数の子局を有するシステムにおけるＯＦＤＭ方式を用いた通信システム、通信装置および通信方法に関する。
【手続補正４】
【補正対象書類名】明細書
【補正対象項目名】０００７
【補正方法】変更
【補正の内容】
【０００７】
より詳しく述べると、本発明の通信システムは、複数のサブキャリアを有する信号を用いて、親局と複数の子局との間で通信を行う通信システムであって、前記親局は、前記サブキャリアを前記複数の子局の各々に割り当てる割り当て手段と、前記複数のサブキャリアの各々に、対応する子局宛の送信データをマッピングすることにより前記複数の子局へ送信する下り信号を生成し、当該下り信号を前記複数の子局へ送信する下り送信手段と、
前記複数の子局からの上り信号を受信する上り受信手段と、前記受信された上り信号を復調する上り復調手段とを備え、前記複数の子局の各々は、前記親局からの前記下り信号を受信する下り受信手段と、前記受信された下り信号を復調する下り復調手段と、前記親局から割り当てられたサブキャリアに、親局宛の送信データをマッピングすることにより前記親局へ送信する上り信号を生成し、当該上り信号を前記親局へ送信する上り送信手段と
を備え、前記親局から前記複数の子局のうち少なくとも１つの子局への下り信号と該１つの子局からの該親局への上り信号とが、同一のサブキャリアにおいて同時に送信され、前記上り復調手段は、当該少なくとも１つの子局へ割り当てられたサブキャリアに対応する前記下り信号の信号成分を前記受信された上り信号から除去した後の信号について復調処理を行い、当該少なくとも１つの子局の前記下り復調手段は、前記上り信号の信号成分を前記受信された下り信号から除去した後の信号について復調処理を行う。